(57)【要約】【課題】広告主の意向に沿った広告配信を行うこと。【解決手段】本願に係る広告抽出装置は、解析部と、抽出部とを有する。解析部は、広告主から入稿された各広告コンテンツに基づいて、各広告コンテンツに関する傾向を解析する。抽出部は、解析部によって解析された傾向に基づいて、配信候補の広告コンテンツを抽出する。例えば、解析部は、所定の期間だけ過去の日時以降に入稿された各広告コンテンツに基づいて、キーワードの傾向を解析する。【選択図】図３
2014174835.tif 000002
【特許請求の範囲】
【請求項１】
広告主から入稿された各広告コンテンツに基づいて、当該各広告コンテンツに関する傾向を解析する解析手段と、
前記解析手段によって解析された傾向に基づいて、配信候補の広告コンテンツを抽出する抽出手段と
を備えたことを特徴とする広告抽出装置。
【請求項２】
前記解析手段は、
所定の期間だけ過去の日時以降に入稿された各広告コンテンツに基づいて、前記各広告コンテンツに関する傾向を解析する
ことを特徴とする請求項１に記載の広告抽出装置。
【請求項３】
前記解析手段は、
前記広告主の種別毎に、当該広告主から入稿された各広告コンテンツに関する傾向を解析する
ことを特徴とする請求項２に記載の広告抽出装置。
【請求項４】
前記解析手段は、
前記広告主の種別毎に、前記所定の期間を変動させる
ことを特徴とする請求項３に記載の広告抽出装置。
【請求項５】
前記解析手段は、
前記広告主から入稿された各広告コンテンツの特徴を示すキーワード毎に、当該キーワードに対応する広告コンテンツの入稿数に応じた重みを算出し、
前記抽出手段は、
前記解析手段によって算出された重みが高いキーワードに対応する広告コンテンツほど、配信候補の広告コンテンツとして優先的に抽出する
ことを特徴とする請求項１〜４のいずれか一つに記載の広告抽出装置。
【請求項６】
前記解析手段は、
前記広告主から入稿された各広告コンテンツの特徴を示すキーワード毎に、当該キーワードに対応する広告コンテンツを入稿した広告主の数に応じた重みを算出し、
前記抽出手段は、
前記解析手段によって算出された重みが高いキーワードに対応する広告コンテンツほど、配信候補の広告コンテンツとして優先的に抽出する
ことを特徴とする請求項１〜４のいずれか一つに記載の広告抽出装置。
【請求項７】
前記解析手段は、
前記広告主から入稿された各広告コンテンツの特徴を示すキーワード毎に、当該キーワードに対応する広告コンテンツの入稿数の変動率に応じた重みを算出し、
前記抽出手段は、
前記解析手段によって算出された重みが高いキーワードに対応する広告コンテンツほど、配信候補の広告コンテンツとして優先的に抽出する
ことを特徴とする請求項１〜４のいずれか一つに記載の広告抽出装置。
【請求項８】
前記抽出手段は、
前記解析手段によって解析された傾向と、他のサーバ装置から取得可能なコンテンツに含まれるキーワードの傾向とに基づいて、前記配信候補の広告コンテンツを抽出する
ことを特徴とする請求項１〜７のいずれか一つに記載の広告抽出装置。
【請求項９】
広告抽出装置が実行する広告抽出方法であって、
広告主から入稿された各広告コンテンツに基づいて、当該各広告コンテンツに関する傾向を解析する解析工程と、
前記解析工程によって解析された傾向に基づいて、配信候補の広告コンテンツを抽出する抽出工程と
を含んだことを特徴とする広告抽出方法。
【請求項１０】
広告主から入稿された各広告コンテンツに基づいて、当該各広告コンテンツに関する傾向を解析する解析手順と、
前記解析手順によって解析された傾向に基づいて、配信候補の広告コンテンツを抽出する抽出手順と
をコンピュータに実行させることを特徴とする広告抽出プログラム。
【発明の詳細な説明】
【技術分野】
【０００１】
本発明は、広告抽出装置、広告抽出方法及び広告抽出プログラムに関する。
【背景技術】
【０００２】
近年、インターネットの飛躍的な普及に伴い、インターネットを介した広告配信が盛んに行われている。例えば、ウェブページの所定の位置に企業や商品等の広告コンテンツ（例えば、画像などのアイコン）を表示し、かかる広告コンテンツがクリックされた場合に広告主のウェブページへ遷移するものがある。
【０００３】
このような広告コンテンツは、各広告主から入稿された広告コンテンツを保持する広告配信装置によって配信されることが多い。かかる広告配信装置は、例えば、ユーザが閲覧しているウェブページに含まれるキーワードと合致する広告コンテンツを選択的に配信したり、ユーザ属性（サイコグラフィック属性、デモグラフィック属性など）に基づいて広告コンテンツを選択的に配信したりする。
【０００４】
また、上記の広告配信処理の他、広告配信装置の管理者等が、配信対象とする広告コンテンツを手動で調整する場合がある。例えば、広告配信装置の管理者等は、クリスマス等の定期イベントが発生する前に、今後定期イベントに関する商品等が流行すると予測し、かかる定期イベントに関する広告コンテンツが優先的に配信されるように調整する場合がある。これにより、広告配信装置は、今後の流行に関する広告コンテンツを優先的に配信することとなる。
【先行技術文献】
【特許文献】
【０００５】
【特許文献１】特開２０１０−１９８５０７号公報
【特許文献２】特開２０１２−１４１６８２号公報
【発明の概要】
【発明が解決しようとする課題】
【０００６】
しかしながら、上記の従来技術では、広告主の意向に沿った広告配信が行えるとは限らなかった。例えば、上述した広告配信装置の管理者等は、テレビで放送されるニュースやウェブサイト等から今後の流行を予測することが考えられるが、このように予測された今後の流行は、必ずしも広告主の意向と合致した流行であるとは限らなかった。すなわち、上記の従来技術では、管理者等により予測された流行と偶然に合致した広告コンテンツが優先的に配信されるに過ぎず、広告主の意向に沿った広告コンテンツが配信されるとは限らなかった。
【０００７】
本願は、上記に鑑みてなされたものであって、広告主の意向に沿った広告配信を行うことができる広告抽出装置、広告抽出方法及び広告抽出プログラムを提供することを目的とする。
【課題を解決するための手段】
【０００８】
本願に係る広告抽出装置は、広告主から入稿された各広告コンテンツに基づいて、当該各広告コンテンツに関する傾向を解析する解析手段と、前記解析手段によって解析された傾向に基づいて、配信候補の広告コンテンツを抽出する抽出手段とを備えたことを特徴とする。
【発明の効果】
【０００９】
実施形態の一態様によれば、広告主の意向に沿った広告配信を行うことができるという効果を奏する。
【図面の簡単な説明】
【００１０】
【図１】図１は、実施形態に係る広告抽出処理の一例を示す説明図である。
【図２】図２は、実施形態に係る広告配信システムの構成例を示す図である。
【図３】図３は、実施形態に係る広告配信装置の構成例を示す図である。
【図４】図４は、実施形態に係る広告コンテンツ記憶部の一例を示す図である。
【図５】図５は、実施形態に係る傾向記憶部の一例を示す図である。
【図６】図６は、実施形態に係る広告配信装置による処理手順を示すフローチャートである。
【図７】図７は、実施形態に係る広告抽出処理の一例を示す説明図である。
【図８】図８は、入稿された広告コンテンツに対応するキーワード数の時間変動例を示す図である。
【発明を実施するための形態】
【００１１】
以下に、本願に係る広告抽出装置、広告抽出方法及び広告抽出プログラムを実施するための形態（以下、「実施形態」と呼ぶ）について図面を参照しつつ詳細に説明する。なお、この実施形態により本願に係る広告抽出装置、広告抽出方法及び広告抽出プログラムが限定されるものではない。また、以下の各実施形態において同一の部位には同一の符号を付し、重複する説明は省略される。
【００１２】
〔１．広告抽出処理〕
まず、図１を用いて、実施形態に係る広告抽出処理の一例について説明する。図１は、実施形態に係る広告抽出処理の一例を示す説明図である。図１の例では、広告配信装置１００によって広告抽出処理が行われる。図１に示した広告配信装置１００は、広告主によって利用される広告主装置１０１〜１０ｎから広告コンテンツの入稿を受け付け、受け付けた広告コンテンツを保持する。そして、広告配信装置１００は、ユーザによって利用される端末装置２０等から広告コンテンツの取得要求を受信した場合に、保持している広告コンテンツの中から所定の広告コンテンツを端末装置２０等に配信する。
【００１３】
図１に示した例では、広告配信装置１００は、広告主装置１０１から広告コンテンツＣ１１の入稿を受け付け、広告主装置１０２から広告コンテンツＣ２１の入稿を受け付け、広告主装置１０ｎから広告コンテンツＣ３１の入稿を受け付け、これらの広告コンテンツＣ１１、Ｃ２１及びＣ３１を広告コンテンツ記憶部１２１に格納する（ステップＳ１１）。このとき、広告配信装置１００は、広告コンテンツ毎に、かかる広告コンテンツの特徴を示すキーワードを対応付けて広告コンテンツ記憶部１２１に格納する。このようなキーワードは、広告配信装置１００によって広告コンテンツから抽出されてもよいし、広告主装置１０によって広告コンテンツとともに入稿されてもよいが、この点については後述する。
【００１４】
また、広告配信装置１００は、広告コンテンツ記憶部１２１に格納されている各広告コンテンツに対応するキーワードに基づいて、広告主から入稿される広告コンテンツの傾向を解析する（ステップＳ１２）。具体的には、広告配信装置１００は、広告コンテンツ記憶部１２１から、現在日時よりも所定の期間（例えば、２週間や１ヶ月）だけ過去の日時以降に入稿された広告コンテンツのキーワードを抽出し、抽出した各キーワードの数を計数する。そして、広告配信装置１００は、計数結果が多いキーワードに関する広告コンテンツほど広告主から多く入稿されている傾向にあると判定し、かかるキーワードに高い重みを付与する。
【００１５】
この点について図１に示した広告コンテンツ記憶部１２１を例に挙げて説明する。なお、実際の広告コンテンツ記憶部１２１には膨大な量の広告コンテンツが格納されており、キーワードの数も膨大であるが、ここでは説明を簡単にするために、広告コンテンツ記憶部１２１が図１に示した状態であるものとする。図１の例において、広告配信装置１００は、キーワード「クリスマス」を２個計数し、キーワード「旅行」を１個計数する。そして、広告配信装置１００は、キーワード「旅行」の計数結果「１」よりもキーワード「クリスマス」の計数結果「２」の方が多いので、キーワード「旅行」よりもキーワード「クリスマス」に対して高い重みを付与する。図１の例では、広告配信装置１００は、キーワード「クリスマス」に重み「２．０」を付与し、キーワード「旅行」に重み「１．２」を付与する。そして、広告配信装置１００は、このようなキーワード毎の重みを傾向記憶部１２２に格納する。
【００１６】
続いて、広告配信装置１００は、端末装置２０に広告コンテンツを配信する際に、傾向記憶部１２２を参照し、重みが高いキーワードを含む広告コンテンツを優先して端末装置２０に配信する（ステップＳ１３）。例えば、図１の例の場合、広告配信装置１００は、キーワード「旅行」よりもキーワード「クリスマス」を含む広告コンテンツＣ１１又はＣ１２を優先して端末装置２０に配信する。
【００１７】
なお、広告配信装置１００は、ユーザが閲覧するウェブページに含まれるキーワードと合致する広告コンテンツを選択的に配信する「コンテンツマッチ」や、ユーザ属性に基づいて広告コンテンツを選択的に配信する「ターゲティング配信」といった手法とともに、上述したステップＳ１３におけるキーワードの重みを考慮した広告抽出処理を行う場合もある。この場合、広告配信装置１００は、必ずしも広告コンテンツＣ１１又はＣ１２を配信するとは限らないが、少なくともキーワード「クリスマス」を含む広告コンテンツが優先的に配信されるよう制御する。
【００１８】
このように、実施形態に係る広告配信装置１００は、所定の期間内に広告主から入稿された広告コンテンツに含まれるキーワードに基づいて、広告主から入稿される広告コンテンツの種別（上記例では、キーワード）に関する傾向を解析し、かかる解析結果に基づいて広告コンテンツの配信処理を行うので、広告主の意向に沿った広告配信を行うことができる。具体的には、広告主は、一般的に、今後販売する商品等に関する広告コンテンツを先行して入稿する。このため、広告配信装置１００は、所定の期間内に入稿された広告コンテンツを解析することで、広告主が望む今後の流行を特定することができるので、広告主の意向と合致した流行に関する広告コンテンツを優先的に配信することが可能になる。また、広告主は、世間に知られていない商品に関する広告コンテンツについても先行して入稿する場合がある。すなわち、広告配信装置１００は、所定の期間内に入稿された広告コンテンツを解析することで、テレビニュースやウェブサイト等からは予測することが困難である今後の流行についても特定することができるので、広告主が望む今後の流行と合致した広告コンテンツを配信することが可能になる。以上のことから、実施形態に係る広告配信装置１００は、広告主の意向に沿った広告配信を行うことができる。以下、このような広告抽出処理を行う広告配信装置１００について詳細に説明する。
【００１９】
〔２．広告配信システムの構成〕
次に、図２を用いて、実施形態に係る広告配信システムの構成について説明する。図２は、実施形態に係る広告配信システム１の構成例を示す図である。図２に示すように、広告配信システム１には、広告主装置１０１〜１０ｎと、端末装置２０と、情報提供装置３０と、広告配信装置１００とが含まれる。広告主装置１０１〜１０ｎ、端末装置２０、情報提供装置３０及び広告配信装置１００は、ネットワークＮを介して、有線又は無線により通信可能に接続される。なお、図２に示した広告配信システム１には、複数台の端末装置２０や、複数台の情報提供装置３０や、複数台の広告配信装置１００が含まれてもよい。
【００２０】
広告主装置１０１〜１０ｎは、広告配信装置１００に広告配信を依頼する広告主によって利用される情報処理装置である。かかる広告主装置１０１〜１０ｎは、広告主による操作に従って、広告コンテンツを広告配信装置１００に入稿する。例えば、広告主装置１０１〜１０ｎは、静止画像や、動画像や、テキストデータや、広告主が管理する広告主サーバによって提供されるウェブページにアクセスするためのＵＲＬ（Uniform Resource Locator）などに該当する広告コンテンツを広告配信装置１００に入稿する。なお、広告主は、広告主装置１０１〜１０ｎを用いて、広告コンテンツを広告配信装置１００に入稿せずに、広告コンテンツの入稿を代理店に依頼する場合もある。この場合、広告配信装置１００に広告コンテンツを入稿するのは代理店となる。以下では、「広告主」といった表記は、広告主だけでなく代理店を含む概念であり、「広告主装置」といった表記は、広告主装置だけでなく代理店によって利用される代理店装置を含む概念であるものとする。また、広告主装置１０１〜１０ｎは、それぞれ同様の機能を有するので、以下では、広告主装置１０１〜１０ｎを区別する必要がない場合には、これらを総称して「広告主装置１０」と表記する場合がある。
【００２１】
端末装置２０は、例えば、デスクトップ型ＰＣ（Personal  Computer）や、ノート型ＰＣや、タブレット型端末や、携帯電話機、ＰＤＡ（Personal  Digital  Assistant）等の情報処理装置である。例えば、端末装置２０は、情報提供装置３０にアクセスすることで、情報提供装置３０からウェブページを取得し、取得したウェブページを表示装置（例えば、液晶ディスプレイ）に表示する。また、端末装置２０は、ウェブページに広告枠が含まれる場合には、広告配信装置１００にアクセスすることで、広告配信装置１００から広告コンテンツを取得し、取得した広告コンテンツをウェブページ上に表示する。ただし、この例に限られず、端末装置２０は、広告コンテンツを含むウェブページを情報提供装置３０から取得してもよい。この場合、情報提供装置３０は、広告配信装置１００によって提供される広告コンテンツを組み込んだウェブページを端末装置２０に配信する。
【００２２】
情報提供装置３０は、端末装置２０にウェブページを提供するＷｅｂサーバ等である。かかる情報提供装置３０は、例えば、ニュースサイト、オークションサイト、天気予報サイト、ショッピングサイト、ファイナンス（株価）サイト、路線検索サイト、地図提供サイト、旅行サイト、飲食店紹介サイト、ウェブブログなどに関する各種ウェブページを提供する。
【００２３】
広告配信装置１００は、広告主装置１０から入稿された広告コンテンツを配信するサーバ装置である。上記の通り、広告配信装置１００は、端末装置２０からアクセスされた場合に、広告コンテンツを端末装置２０に配信する。また、広告配信装置１００は、情報提供装置３０からアクセスされた場合には、広告コンテンツを情報提供装置３０に配信する。
【００２４】
〔３．広告配信装置の構成〕
次に、図３を用いて、実施形態に係る広告配信装置１００の構成について説明する。図３は、実施形態に係る広告配信装置１００の構成例を示す図である。図３に示すように、広告配信装置１００は、通信部１１０と、記憶部１２０と、制御部１３０とを有する。なお、広告配信装置１００は、広告配信装置１００を利用する管理者等から各種操作を受け付ける入力部（例えば、キーボードやマウス等）や、各種情報を表示するための表示部（例えば、液晶ディスプレイ等）を有してもよい。
【００２５】
（通信部１１０について）
通信部１１０は、例えば、ＮＩＣ（Network  Interface  Card）等によって実現される。かかる通信部１１０は、ネットワークＮと有線又は無線で接続され、ネットワークＮを介して、広告主装置１０や端末装置２０や情報提供装置３０との間で情報の送受信を行う。
【００２６】
（記憶部１２０について）
記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。かかる記憶部１２０は、図３に示すように、広告コンテンツ記憶部１２１と、傾向記憶部１２２とを有する。
【００２７】
（広告コンテンツ記憶部１２１について）
広告コンテンツ記憶部１２１は、広告主装置１０から入稿された広告コンテンツを記憶する。ここで、図４に、実施形態に係る広告コンテンツ記憶部１２１の一例を示す。図４に示した例では、広告コンテンツ記憶部１２１は、「広告主ＩＤ」、「広告コンテンツ」、「入稿日時」、「キーワード」といった項目を有する。
【００２８】
「広告主ＩＤ」は、広告主又は広告主装置１０を識別するための識別情報を示す。「広告コンテンツ」は、広告主装置１０から入稿された広告コンテンツを示す。図４に示した例では、広告コンテンツ記憶部１２１の広告コンテンツに、「Ｃ１１」や「Ｃ１２」といった概念的な情報が格納される例を示したが、実際には、静止画像や動画像やテキストデータやＵＲＬ、又は、これらの格納場所を示すファイルパス名などが記憶される。
【００２９】
「入稿日時」は、広告主装置１０から広告コンテンツが入稿された日時を示す。「キーワード」は、広告コンテンツから抽出される文字列等であり、広告コンテンツの分野や特徴を示す文字列に該当する。図４に示した例のように、１個の広告コンテンツには複数のキーワードが記憶される場合もある。
【００３０】
すなわち、図４では、広告主ＩＤ「Ａ１０」によって識別される広告主が、「２０１２年１１月３０日  １１時００分」に広告コンテンツ「Ｃ１１」を入稿した例を示している。また、図４では、広告コンテンツ「Ｃ１１」から抽出されるキーワードが「クリスマス」及び「プレゼント」である例を示している。
【００３１】
なお、図４では図示することを省略したが、広告コンテンツ記憶部１２１は、「入札価格」や「ＣＴＲ（Click  Through  Rate）」などを記憶してもよい。「入札価格」は、広告主が広告コンテンツを入稿する際に指定する広告料金を示し、例えば、広告コンテンツがユーザに１回クリックされた際に広告主から広告配信者（例えば、広告配信装置１００の管理者）に支払われる単価に該当する。「ＣＴＲ」は、例えば、広告コンテンツが端末装置２０に配信された場合における広告効果を示す。
【００３２】
（傾向記憶部１２２について）
傾向記憶部１２２は、広告主から入稿される広告コンテンツの傾向を示す指標値を記憶する。ここで、図５に、実施形態に係る傾向記憶部１２２の一例を示す。図５に示した例では、傾向記憶部１２２は、「キーワード」、「重み」といった項目を有する。
【００３３】
「キーワード」は、広告コンテンツから抽出される文字列等であり、図４に示したキーワードに対応する。「重み」は、所定の期間内に広告主から入稿された広告コンテンツの傾向を示す。図５に示した例では、「重み」の値が大きいキーワードほど、所定の期間内において広告主から多く入稿されている広告コンテンツの種別（ジャンル）であることを示す。
【００３４】
すなわち、図５では、所定の期間内において、キーワード「クリスマス」に対応する広告コンテンツが最も多く入稿され、キーワード「正月」に対応する広告コンテンツが２番目に多く入稿された例を示している。
【００３５】
（制御部１３０について）
制御部１３０は、例えば、ＣＰＵ（Central  Processing  Unit）やＭＰＵ（Micro  Processing  Unit）等によって、広告配信装置１００内部の記憶装置に記憶されている各種プログラム（広告抽出プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００３６】
かかる制御部１３０は、図３に示すように、入稿受付部１３１と、受信部１３２と、広告抽出部１３３と、配信部１３６とを有し、以下に説明する情報処理の機能や作用を実現または実行する。なお、制御部１３０の内部構成は、図３に示した構成に限られず、後述する情報処理を行う構成であれば他の構成であってもよい。また、制御部１３０が有する各処理部の接続関係は、図３に示した接続関係に限られず、他の接続関係であってもよい。
【００３７】
（入稿受付部１３１について）
入稿受付部１３１は、広告主装置１０から広告コンテンツの入稿を受け付け、受け付けた広告コンテンツを広告コンテンツ記憶部１２１に格納する。具体的には、入稿受付部１３１は、広告主装置１０から広告コンテンツの入稿を受け付けた場合に、入稿された広告コンテンツから、広告コンテンツの特徴を示すキーワードを抽出する。そして、入稿受付部１３１は、入稿された広告コンテンツとともに、入稿日時及びキーワードを広告コンテンツ記憶部１２１に格納する。
【００３８】
なお、入稿受付部１３１が広告コンテンツからキーワードを抽出する処理はいくつか考えられる。例えば、入稿受付部１３１は、広告コンテンツがＨＴＭＬ（HyperText  Markup  Language）ファイルである場合には、ＨＴＭＬファイルに記述されているテキストを形態素解析し、高頻度で登場する形態素をキーワードとして抽出したり、ＨＴＭＬファイルのタイトルとして指定されている文字列をキーワードとして抽出したり、ＨＴＭＬファイルのメタデータ（例えば、ｍｅｔａタグに記述される文字列）をキーワードとして抽出したりする。また、例えば、入稿受付部１３１は、広告コンテンツが画像データである場合には、画像データのメタデータをキーワードとして抽出したりする。
【００３９】
また、例えば、入稿受付部１３１は、広告コンテンツからキーワードを抽出するのではなく、広告主（広告主装置１０）から広告コンテンツとともにキーワードの入稿を受け付けてもよい。この場合、入稿受付部１３１は、広告主から入稿されたキーワードを広告コンテンツ記憶部１２１に格納する。
【００４０】
（受信部１３２について）
受信部１３２は、端末装置２０や情報提供装置３０から広告コンテンツの取得要求を受信する。例えば、受信部１３２は、ＨＴＴＰ（Hypertext  Transfer  Protocol）リクエスト等により、広告コンテンツの取得要求を受信する。
【００４１】
なお、受信部１３２に広告コンテンツの取得要求を送信する装置は、情報提供装置３０によって配信されるウェブページによって異なる。例えば、広告配信装置１００にアクセスするためのＵＲＬが埋め込まれたウェブページが端末装置２０に配信される場合、受信部１３２は、端末装置２０から広告コンテンツの取得要求を受信する。また、広告コンテンツが既に埋め込まれたウェブページが端末装置２０に配信される場合、受信部１３２は、情報提供装置３０から広告コンテンツの取得要求を受信する。
【００４２】
（広告抽出部１３３について）
広告抽出部１３３は、受信部１３２によって広告コンテンツの取得要求が受信された場合に、広告コンテンツを広告コンテンツ記憶部１２１から抽出する。かかる広告抽出部１３３は、図３に示すように、解析部１３４と、抽出部１３５とを有する。
【００４３】
（解析部１３４について）
解析部１３４は、広告主から入稿された各広告コンテンツに含まれるキーワードに基づいて、広告主から入稿される広告コンテンツの種別に関する傾向を解析する。具体的には、実施形態に係る解析部１３４は、広告コンテンツ記憶部１２１から、入稿日時が所定の日時以降である広告コンテンツのキーワードを取得し、各キーワードの数を計数する。そして、解析部１３４は、計数結果が多いキーワードほど高い重みを算出し、算出した重みをキーワードと対応付けて傾向記憶部１２２に格納する。
【００４４】
例えば、解析部１３４は、広告コンテンツ記憶部１２１から抽出した全てのキーワード数に占める各キーワード数の割合を算出し、算出した割合に所定値を乗算することで各キーワードの重みを算出する。例えば、解析部１３４が、全てのキーワード数に占めるキーワードＫ１の数の割合として「１０％」を算出したものとする。この場合、解析部１３４は、例えば、算出した割合「１０％」に所定値「０．２」などを乗算することで、キーワードＫ１の重み「２．０」を算出する。
【００４５】
また、例えば、解析部１３４は、複数の重みに対応する複数の閾値を保持しておき、上記例のように算出した割合が超える閾値に対応する重みを各キーワードの重みとする。例えば、解析部１３４が、重み「２．０」の閾値「１０％」、重み「１．９」の閾値「９％」、重み「１．８」の閾値「８％」などを保持し、全てのキーワード数に占めるキーワードＫ２の数の割合として「１２％」を算出したものとする。この場合、解析部１３４は、算出した割合「１２％」が閾値「１０％」を超えるので、キーワードＫ２の重みを「２．０」とする。また、この例において、全てのキーワード数に占めるキーワードＫ３の数の割合として「９．５％」を算出したものとする。この場合、解析部１３４は、算出した割合「９．５％」が閾値「９％」を超えるものの閾値「１０％」以下であるので、キーワードＫ３の重みを「１．９」とする。
【００４６】
図４の例を用いて解析部１３４による処理の一例を説明する。ここでは、現在日時が「２０１２年１２月２３日」であり、解析部１３４が１ヶ月以内に入稿された広告コンテンツについて処理するものとする。この場合、解析部１３４は、広告コンテンツ記憶部１２１から、入稿日時が「２０１２年１１月２３日」以降である広告コンテンツに対応するキーワードを取得する。すなわち、解析部１３４は、入稿日時が「２０１２年１１月２３日」よりも過去である広告コンテンツ「Ｃ４１」及び「Ｃ４２」については抽出しない。そして、解析部１３４は、取得したキーワードの数を計数する。ここの例では、解析部１３４は、例えば、キーワード「クリスマス」を５個計数し、キーワード「正月」を２個計数し、キーワード「玩具」を１個計数し、キーワード「プレゼント」を１個計数する。そして、解析部１３４は、上記例のように、計数結果に基づいて、キーワード「クリスマス」、「正月」、「玩具」などの重みを算出する。
【００４７】
このようにして、解析部１３４は、上述した解析処理を行うことで傾向記憶部１２２を更新する。解析部１３４によって求められたキーワード毎の重みは、所定の期間内において、どのような種別（ジャンル）の広告コンテンツが広告主から多く入稿されているかを示す指標値となる。すなわち、各キーワードの重みは、広告主が望む今後の流行を示す指標値である言える。なお、解析部１３４は、定期的（例えば、１時間毎、１日毎、１週間毎）に解析処理を行ってもよいし、受信部１３２によって広告コンテンツの取得要求が受信されるたびに解析処理を行ってもよい。
【００４８】
（抽出部１３５について）
抽出部１３５は、解析部１３４によって解析された広告コンテンツの傾向に基づいて、広告コンテンツ記憶部１２１に記憶されている広告コンテンツから、配信候補の広告コンテンツを抽出する。具体的には、抽出部１３５は、傾向記憶部１２２に記憶されている重みが大きいキーワードに対応する広告コンテンツを優先して抽出する。
【００４９】
ここで、抽出部１３５による抽出処理について説明するが、最初に一般的な広告コンテンツの抽出処理の一例について説明する。抽出部１３５は、一例として、以下の式（１）により、配信候補の各広告コンテンツのスコアを算出する。
【００５０】
スコア  ＝    α１・ｋ１＋α２・ｋ２＋・・・＋αｍ・ｋｍ 
＋β１・ｊ１＋ｗ２・ｊ２＋・・・＋ｗｎ・ｊｎ  ・・・  （１）
【００５１】
上記式（１）のうち、ｋ１〜ｋｍは、広告コンテンツに含まれるキーワードを示す。すなわち、上記（１）の場合、広告コンテンツにｍ個のキーワードが含まれていることを示す。また、α１〜αｎは、ｋ１〜ｋｍに対応する重みを示す。また、ｊ１〜ｊｎは、広告コンテンツを入稿した広告主属性（例えば、食品系、金融系、旅行系などカテゴリ）を示す。また、β１〜βｎは、ｊ１〜ｊｎに対応する重みを示す。
【００５２】
例えば、抽出部１３５は、コンテンツマッチにより広告コンテンツを抽出する場合には、上記（１）のうち、ユーザが閲覧するウェブページに含まれるキーワードの重み（α１〜αｎのいずれか）や、ユーザが閲覧するウェブページに含まれるキーワードと合致する広告主属性の重み（β１〜βｎのいずれか）を大きい値に調整する。また、例えば、抽出部１３５は、ターゲティング配信により広告コンテンツを抽出する場合には、上記（１）のうち、ユーザ属性と合致するキーワードや広告主属性の重み（α１〜αｎ、β１〜βｎのいずれか）を大きい値に調整する。そして、抽出部１３５は、上記（１）により算出したスコアが大きい広告コンテンツを優先して抽出する。
【００５３】
ここで、実施形態に係る抽出部１３５は、上記式（１）の重みα１〜αｎに対して、傾向記憶部１２２に記憶されている重みを乗算又は加算する。例えば、傾向記憶部１２２が図５に示した状態であり、上記式（１）におけるキーワードｋ１が「クリスマス」であるものとする。この場合、抽出部１３５は、上記式（１）における重み「α１」に、傾向記憶部１２２に記憶されているキーワード「クリスマス」の重み「２．０」を乗算又は加算することで、「２．０α１」又は「２．０＋α１」とする。
【００５４】
このようにして、抽出部１３５は、傾向記憶部１２２に記憶されている重みを上記式（１）に反映した上で、スコアが大きい広告コンテンツを優先的に配信候補の広告コンテンツとして抽出する。すなわち、実施形態に係る抽出部１３５は、広告主が望む今後の流行と合致した広告コンテンツを優先的に抽出することができる。
【００５５】
なお、抽出部１３５によって抽出される広告コンテンツの数は任意の数であってもよい。例えば、抽出部１３５は、上記例のように算出されるスコアの高い順に、端末装置２０に配信する広告コンテンツの数と同一数の広告コンテンツを広告コンテンツ記憶部１２１から抽出してもよいし、端末装置２０への配信数よりも多い広告コンテンツを抽出してもよい。
【００５６】
（配信部１３６について）
配信部１３６は、受信部１３２によって受信された取得要求の送信元である端末装置２０に対して、抽出部１３５によって抽出された広告コンテンツを配信する。なお、配信部１３６は、端末装置２０への配信数よりも多い広告コンテンツが抽出部１３５により抽出された場合には、抽出された広告コンテンツのうち、例えば、入札価格や、ＣＴＲや、入札価格及びＣＴＲの双方が高い順に広告コンテンツを選択し、選択した広告コンテンツを端末装置２０に配信する。
【００５７】
〔４．広告抽出処理手順〕
次に、図６を用いて、実施形態に係る広告配信装置１００による処理の手順について説明する。図６は、実施形態に係る広告配信装置１００による処理手順を示すフローチャートである。なお、図６では、解析部１３４が広告コンテンツの配信前に解析処理を行う例について説明する。
【００５８】
図６に示すように、広告配信装置１００の受信部１３２は、端末装置２０や情報提供装置３０から広告コンテンツの取得要求を受信したか否かを判定する（ステップＳ１０１）。そして、受信部１３２は、広告コンテンツの取得要求を受信していない場合には（ステップＳ１０１；Ｎｏ）、取得要求を受信するまで待機する。
【００５９】
一方、受信部１３２によって広告コンテンツの取得要求が受信された場合（ステップＳ１０１；Ｙｅｓ）、解析部１３４は、所定の期間内に入稿された広告コンテンツに対応するキーワード毎の数を計数する（ステップＳ１０２）。具体的には、解析部１３４は、広告コンテンツ記憶部１２１に記憶されている広告コンテンツのうち、入稿日時が所定日時以降である広告コンテンツを特定し、特定した広告コンテンツに対応するキーワード毎に、かかるキーワードの数を計数する。そして、解析部１３４は、計数結果が多いキーワードほど大きい重みを付与する（ステップＳ１０３）。
【００６０】
続いて、抽出部１３５は、広告コンテンツ記憶部１２１から、重みが大きいキーワードを含む広告コンテンツを優先的に抽出する（ステップＳ１０４）。例えば、抽出部１３５は、解析部１３４によって付与された重みに基づいて、上記式（１）における重み（α１〜αｎ、β１〜βｎ）を調整する。そして、配信部１３６は、ステップＳ１０１において取得要求を送信した端末装置２０又は情報提供装置３０に対して、抽出部１３５によって抽出された広告コンテンツを配信する（ステップＳ１０５）。
【００６１】
なお、図６の例では、解析部１３４が広告コンテンツの配信前に解析処理を行うこととしたが、抽出部１３５は、定期的に解析処理を行ってもよい。この場合、解析部１３４は、図６のステップＳ１０２及びＳ１０３における処理を定期的に行う。そして、抽出部１３５及び配信部１３６は、受信部１３２によって広告コンテンツの取得要求が受信されるたびに、ステップＳ１０４及びＳ１０５における処理を行う。
【００６２】
〔５．変形例〕
上述した実施形態に係る広告配信装置１００は、上記実施形態以外にも種々の異なる形態にて実施されてよい。そこで、以下では、上記の広告配信装置１００の他の実施形態について説明する。
【００６３】
〔５−１．広告主の種別毎における重み〕
上記実施形態では、解析部１３４が、所定の期間内に入稿された全ての広告コンテンツに基づいて解析処理を行う例を示した。このとき、解析部１３４は、広告主のカテゴリ（種別）毎に、解析処理を行ってもよい。この点について図７を用いて説明する。図７は、実施形態に係る広告抽出処理の一例を示す説明図である。なお、図７の例では、広告主のカテゴリ毎に解析処理を行う例について説明する。
【００６４】
図７に示した例において、解析部１３４は、広告主のカテゴリ毎に、入稿日時が所定の日時以降である広告コンテンツを広告コンテンツ記憶部１２１から取得する。図７では、広告主Ａ１１及びＡ１２のカテゴリが「食品系」であり、広告主Ａ２１及びＡ２２のカテゴリが「金融系」であり、広告主Ａ３１及びＡ３２のカテゴリが「旅行系」であるものとする。この場合、解析部１３４は、広告主Ａ１１及びＡ１２によって所定の期間内に入稿された広告コンテンツを取得し、取得した広告コンテンツに対応するキーワード毎の数を計数することで各キーワードの重みを算出する。図７の例では、解析部１３４は、広告主Ａ１１及びＡ１２によって入稿された広告コンテンツに対応するキーワードのうち、キーワード「塩チョコ」の数が最も多く、かかるキーワード「塩チョコ」に最も大きい重みを付与する。
【００６５】
同様にして、解析部１３４は、広告主Ａ２１及びＡ２２によって所定の期間内に入稿された広告コンテンツに対応する各キーワードの重みを算出し、広告主Ａ３１及びＡ３２によって所定の期間内に入稿された広告コンテンツに対応する各キーワードの重みを算出する。
【００６６】
このように、解析部１３４は、広告主のカテゴリ毎に各キーワードの重みを算出することで、広告分野毎に、広告主が望む今後の流行を高精度に特定することができる。例えば、広告配信装置１００は、所定の広告分野に関する広告コンテンツを配信するような場合に、図７の例のように算出した重みを用いることで、かかる所定の広告分野において広告主により望まれている今後の流行を特定することができるので、より広告主の意向に沿った広告配信を行うことが可能になる。
【００６７】
なお、図７に示した例の場合、広告配信装置１００は、各広告主のカテゴリを所定の記憶部の予め保持しているものとする。または、広告配信装置１００は、広告主から入稿された広告コンテンツに含まれるキーワードに基づいて、広告主のカテゴリを判定し、判定結果を所定の記憶部に保持しておく。
【００６８】
〔５−２．キーワード数の計数期間〕
また、図７に示した例において、解析部１３４は、広告主のカテゴリ毎に、キーワードを取得する期間を変動させてもよい。例えば、解析部１３４は、広告主のカテゴリが「食品系」である場合には、直近２週間に入稿された広告コンテンツのキーワードについて重みを付与し、広告主のカテゴリが「金融系」である場合には、直近２ヶ月に入稿された広告コンテンツのキーワードについて重みを付与する。このように、解析部１３４は、広告主のカテゴリ毎に処理対象期間を変動させることで、広告主が望む今後の流行を高精度に特定することができる。具体的に説明すると、広告主のカテゴリによって、広告コンテンツを入稿するタイミングが異なる場合がある。例えば、「食品系」の広告主は、商品発売の２週間前から広告コンテンツを入稿し始めることが多く、「金融系」の広告主は、サービス開始の２ヶ月前から広告コンテンツを入稿し始めることが多い、といったケースがある。すなわち、広告配信装置１００は、広告主のカテゴリ毎に処理対象期間を変動させることで、広告分野毎に、広告主により望まれている今後の流行を高精度に特定することが可能となる。
【００６９】
〔５−３．入稿数の変動率に基づく重み〕
また、上記実施形態では、解析部１３４が、キーワード数に基づいて、各キーワードの重みを算出する例を示した。しかし、解析部１３４は、キーワード数の変動率に基づいて、各キーワードの重みを算出してもよい。この点について図８を用いて説明する。図８は、入稿された広告コンテンツに対応するキーワード数の時間変動例を示す図である。図８に示した横軸は、日時を示す。また、図８に示した縦軸は、対応する日時において入稿されたキーワード数（すなわち、広告主から入稿された広告コンテンツに含まれるキーワードの数）を示す。
【００７０】
図８に示すように、キーワードＫ１１における日毎のキーワード数は、期間Ｔ１１において急激に増加し、期間Ｔ１２において横ばいとなり、期間Ｔ１３において減少傾向にある。また、キーワードＫ１２における日毎のキーワード数は、期間Ｔ１１において微増傾向にあり、期間Ｔ１２において急激に増加し、期間Ｔ１３において急激に減少している。
【００７１】
図８の例において、解析部１３４は、現在日時がｔ１１である場合に、キーワードＫ１２よりもキーワードＫ１１の方が、キーワード数の増加率が高いので、キーワードＫ１２よりもキーワードＫ１１に対して高い重みを付与する。これは、キーワード数の増加率が高いキーワードほど、今後の流行を示すキーワードである可能性が高いからである。
【００７２】
同様に、解析部１３４は、現在日時がｔ１２である場合には、キーワードＫ１１よりもキーワードＫ１２の方が、キーワード数の増加率が高いので、キーワードＫ１１よりもキーワードＫ１２に対して高い重みを付与する。
【００７３】
また、例えば、解析部１３４は、現在日時がｔ１３である場合に、キーワードＫ１２よりもキーワードＫ１１の方が、キーワード数の減少率が低いので、キーワードＫ１２よりもキーワードＫ１１に対して高い重みを付与する。これは、キーワード数の減少率が高いキーワードほど、過ぎ去った流行を示すキーワードである可能性が高いからである。なお、解析部１３４は、キーワード数が減少傾向にあるキーワードには低い重みを付与してもよい。例えば、解析部１３４は、現在日時がｔ１３である場合には、キーワードＫ１１及びＫ１２の双方に対して、マイナスの重みを付与してもよい。
【００７４】
このように、解析部１３４は、キーワード数の変動率に基づいて、各キーワードの重みを算出することで、広告主が望む今後の流行を高精度に特定することができ、より広告主の意向に沿った広告配信を行うことが可能になる。
【００７５】
なお、解析部１３４は、図１〜図６を用いて説明したように、「キーワード数」に基づいて重みを算出した上で、算出した重みを「キーワード数の変動率」に基づいて調整してもよい。例えば、解析部１３４は、「キーワード数」に基づいて重みを算出し、「キーワード数の増加率」が高いほど、算出済みの重みを大きい値に調整し、「キーワード数の減少率」が高いほど、算出した重みを小さい値に調整する。
【００７６】
また、解析部１３４は、図７に示した例のように、広告主のカテゴリ毎に各キーワードの重みを算出する場合において、「キーワード数の変動率」に基づいて重みを算出してもよい。
【００７７】
〔５−４．広告主の数に基づく重み〕
また、上記実施形態では、解析部１３４が、キーワード数に基づいて、各キーワードの重みを算出する例を示した。しかし、解析部１３４は、広告コンテンツを入稿した広告主の数に基づいて、各キーワードの重みを算出してもよい。すなわち、解析部１３４は、同一の広告主から入稿された複数の広告コンテンツに同一のキーワードが含まれる場合には、１個のキーワードとして計数する。
【００７８】
例えば、図４の例の場合、広告主ＩＤ「Ａ１０」の広告主が、キーワード「クリスマス」を含む広告コンテンツ「Ｃ１１」、「Ｃ１２」及び「Ｃ１５」を入稿しており、広告主ＩＤ「Ａ２０」の広告主が、キーワード「クリスマス」を含む広告コンテンツ「Ｃ２１」を入稿しており、広告主ＩＤ「Ａ３０」の広告主が、キーワード「クリスマス」を含む広告コンテンツ「Ｃ３２」を入稿している。この場合、解析部１３４は、広告コンテンツ「Ｃ１１」、「Ｃ１２」及び「Ｃ１５」に含まれるキーワード「クリスマス」については１個として計数する。すなわち、解析部１３４は、キーワード「クリスマス」については合計３個を計数する。同様に、解析部１３４は、キーワード「正月」については合計１個を計数する。そして、解析部１３４は、計数結果に基づいて各キーワードの重みを算出する。
【００７９】
このように、広告配信装置１００は、広告コンテンツを入稿した広告主の数に基づいて、各キーワードの重みを算出することで、大量の広告コンテンツを入稿する特定の広告主に偏った広告コンテンツが配信されることを防止できる。
【００８０】
〔５−５．キーワードの出現頻度等に基づく重み〕
また、上記実施形態では、入稿受付部１３１が、広告コンテンツからキーワードを抽出する例を示した。ここで、入稿受付部１３１は、１個の広告コンテンツに同一のキーワードが複数含まれる場合には、複数のキーワードを１個のキーワードとして抽出する。ただし、入稿受付部１３１によるキーワード抽出処理はこの例に限られない。例えば、入稿受付部１３１は、広告コンテンツからキーワードを抽出した場合に、かかるキーワードが広告コンテンツに出現する出現数を計数し、計数した出現数を広告コンテンツ記憶部１２１に格納してもよい。この場合、解析部１３４は、キーワード毎に、広告コンテンツ記憶部１２１に記憶されている出現数の総和を計数し、出現数の総和が多いキーワードほど高い重みを算出する。これにより、解析部１３４は、複数の広告コンテンツに多く含まれるキーワードだけでなく、１個の広告コンテンツに多く含まれるキーワードについても高い重みを付与することができる。
【００８１】
また、上記例に限られず、入稿受付部１３１は、例えば、広告コンテンツからキーワードを抽出する際に、ｔｆ−ｉｄｆ（term  frequency  inverse  document  frequency）等の手法を用いて、キーワード毎の重要度（出現頻度、希少度）を求め、求めた重要度を広告コンテンツ記憶部１２１に格納してもよい。この場合、解析部１３４は、キーワード毎に、広告コンテンツ記憶部１２１に記憶されているキーワードの数だけでなく、重要度の総和を計数する。そして、解析部１３４は、計数した数が多いキーワードほど高い重みを算出し、また、重要度の総和が高いキーワードほど高い重みを算出する。これにより、解析部１３４は、複数の広告コンテンツに多く含まれるキーワードだけでなく、重要度（出現頻度や希少度）の高いキーワードについても高い重みを付与することができる。
【００８２】
〔５−６．関連キーワードの調整〕
また、上記実施形態において、解析部１３４は、計数結果が大きいキーワードに高い重みを付与するとともに、かかるキーワードと関連する関連キーワードについても高い重みを付与してもよい。例えば、図５に示した例において、解析部１３４は、キーワード「クリスマス」に重み「２．０」を付与しているが、キーワード「クリスマス」とキーワード「プレゼント」とは一般的に関連度が高い。このため、解析部１３４は、仮にキーワード「プレゼント」の計数結果が小さい場合であっても、キーワード「プレゼント」の重みが高い値となるよう調整する。例えば、解析部１３４は、図５の例において、キーワード「プレゼント」の重みを「１．１」等に調整する。
【００８３】
なお、上記の通り、同一の広告コンテンツには複数のキーワードが含まれる。そこで、解析部１３４は、多くの同一広告コンテンツに含まれるキーワードの組合せについては互いに関連していると判定してもよい。例えば、解析部１３４は、キーワードの組合せ毎に、キーワードの組合せが同一広告コンテンツに含まれる度合いを示す共起度を求め、求めた共起度が所定の閾値以上である場合に、かかるキーワードの組合せが互いに関連していると判定する。
【００８４】
〔５−７．一般流通情報〕
また、上記実施形態において、抽出部１３５は、インターネット上で他のサーバ装置から取得可能なウェブサイト（例えば、ウェブログ）等からキーワードを抽出し、抽出したキーワードについても考慮して、配信候補の広告コンテンツを抽出してもよい。例えば、抽出部１３５は、「キーワード数」や「キーワード数の変動率」に基づいて解析部１３４が算出した重みについて、ウェブサイト等から抽出したキーワードの数に応じて調整してもよい。例えば、抽出部１３５は、ウェブサイト等から抽出した数が多いキーワードほど、解析部１３４によって算出されたキーワードを大きい値に調整する。このとき、抽出部１３５は、キーワードのカテゴリ毎に、ウェブサイトから抽出したキーワードを考慮する割合を変動させてもよい。
【００８５】
〔５−８．その他〕
また、上記実施形態において、抽出部１３５は、種々の手法による広告コンテンツ抽出処理を段階的に行ってもよい。例えば、抽出部１３５は、最初に、広告コンテンツ記憶部１２１から、ユーザが閲覧するウェブページに含まれるキーワードと合致する所定数（例えば、１０００個や２０００個）の広告コンテンツを抽出した後に、抽出した所定数の広告コンテンツの中から、傾向記憶部１２２に記憶されている重みを考慮した抽出処理を行ってもよい。また、この例に限られず、抽出部１３５は、最初に、ユーザ属性と合致する所定数の広告コンテンツや、ユーザが入力した検索キーワードと合致する所定数の広告コンテンツを抽出してもよい。また、例えば、抽出部１３５は、最初に、傾向記憶部１２２に記憶されている重みを考慮した抽出処理により所定数（例えば、１０００個や２０００個）の広告コンテンツを抽出し、抽出した所定数の広告コンテンツの中から、ユーザが閲覧するウェブページに含まれるキーワードと合致する広告コンテンツや、ユーザ属性と合致する広告コンテンツや、ユーザが入力した検索キーワードと合致する広告コンテンツを抽出してもよい。
【００８６】
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【００８７】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００８８】
例えば、図３に示した記憶部１２０は、広告配信装置１００が保持せずに、ストレージサーバ等に保持されてもよい。この場合、広告配信装置１００は、ストレージサーバにアクセスすることで、広告コンテンツを取得する。
【００８９】
また、例えば、上述してきた広告配信装置１００は、ウェブページを配信する情報提供装置３０と一体となって構成されてもよい。また、広告配信装置１００は、広告コンテンツの提供処理は行わず、広告抽出部１３３による広告抽出処理のみを行う広告抽出装置であってもよい。この場合、広告抽出装置は、少なくとも入稿受付部１３１や配信部１３６を有しない。そして、入稿受付部１３１や配信部１３６を有する広告配信装置が、広告抽出装置によって抽出された広告コンテンツを端末装置２０等に配信する。
【００９０】
また、上記実施形態では、ユーザに閲覧されるウェブページのキーワードに関連する広告コンテンツを配信するコンテンツマッチングを例に挙げて説明したが、上述してきた各実施形態は、他の広告配信手法を用いられる広告配信システムにも適用することができる。具体的には、上述してきた各実施形態は、ユーザが検索エンジンに指定した検索キーワードとマッチする広告コンテンツを配信する検索連動型広告や、ユーザの属性情報（サイコグラフィック属性、デモグラフィック属性など）とマッチする広告コンテンツを配信するターゲティング配信などにも適用することができる。
【００９１】
〔６．効果〕
上述してきたように、実施形態に係る広告配信装置１００は、解析部１３４と、抽出部１３５とを有する。解析部１３４は、広告主から入稿された各広告コンテンツに基づいて、各広告コンテンツに関する傾向を解析する。また、抽出部１３５は、解析部１３４によって解析された傾向に基づいて、配信候補の広告コンテンツを抽出する。
【００９２】
これにより、実施形態に係る広告配信装置１００は、広告主が望む今後の流行と合致した広告コンテンツを配信することができるので、広告主の意向に沿った広告配信を行うことができる。
【００９３】
また、実施形態に係る広告配信装置１００において、解析部１３４は、所定の期間だけ過去の日時以降に入稿された各広告コンテンツに基づいて、キーワードの傾向を解析する。
【００９４】
これにより、実施形態に係る広告配信装置１００は、最近の入稿傾向から広告主の意向を解析するので、時間経過とともに変動する広告主の意向に沿った広告配信を行うことができる。
【００９５】
また、実施形態に係る広告配信装置１００において、解析部１３４は、広告主の種別（カテゴリ）毎に、当該広告主から入稿された各広告コンテンツに対応するキーワードの傾向を解析する。
【００９６】
これにより、実施形態に係る広告配信装置１００は、広告分野毎に、広告主が望む今後の流行を高精度に特定することができる。
【００９７】
また、実施形態に係る広告配信装置１００において、解析部１３４は、広告主の種別（カテゴリ）毎に、キーワードを取得する期間を変動させる。
【００９８】
これにより、実施形態に係る広告配信装置１００は、広告主が望む今後の流行を高精度に特定することができる。
【００９９】
また、実施形態に係る広告配信装置１００において、解析部１３４は、キーワード毎に、キーワードに対応する広告コンテンツの入稿数に応じた重みを算出する。また、抽出部１３５は、解析部１３４によって算出された重みが高いキーワードに対応する広告コンテンツほど、配信候補の広告コンテンツとして優先的に抽出する。
【０１００】
これにより、実施形態に係る広告配信装置１００は、広告主が望む今後の流行と合致した広告コンテンツを配信することができるので、広告主の意向に沿った広告配信を行うことができる。
【０１０１】
また、実施形態に係る広告配信装置１００において、解析部１３４は、キーワード毎に、キーワードに対応する広告コンテンツを入稿した広告主の数に応じた重みを算出する。
【０１０２】
これにより、実施形態に係る広告配信装置１００は、大量の広告コンテンツを入稿する特定の広告主に偏った広告コンテンツが配信されることを防止できる。
【０１０３】
また、実施形態に係る広告配信装置１００において、解析部１３４は、キーワード毎に、キーワードに対応する広告コンテンツの入稿数の変動率に応じた重みを算出する。
【０１０４】
これにより、実施形態に係る広告配信装置１００は、広告主が望む今後の流行を高精度に特定することができる。
【０１０５】
また、実施形態に係る広告配信装置１００において、抽出部１３５は、解析部１３４によって解析されたキーワードの傾向と、他のサーバ装置から取得可能なコンテンツ（ウェブサイトなど）に含まれるキーワードの傾向とに基づいて、配信候補の広告コンテンツを抽出する。
【０１０６】
これにより、実施形態に係る広告配信装置１００は、広告主の意向と、一般的に得られる流行情報とに基づいて広告配信を行うことができる。
【０１０７】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１０８】
また、上述した広告配信装置１００は、複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【０１０９】
また、特許請求の範囲に記載した「手段」は、「部（section、module、unit）」や「回路」などに読み替えることができる。例えば、解析手段は、解析部や解析回路に読み替えることができる。
【符号の説明】
【０１１０】
１  広告配信システム
１００  広告配信装置
１２１  広告コンテンツ記憶部
１２２  傾向記憶部
１３１  入稿受付部
１３２  受信部
１３３  広告抽出部
１３４  解析部
１３５  抽出部
１３６  配信部
【図１】
2014174835.tif 000003
【図２】
2014174835.tif 000004
【図３】
2014174835.tif 000005
【図４】
2014174835.tif 000006
【図５】
2014174835.tif 000007
【図６】
2014174835.tif 000008
【図７】
2014174835.tif 000009
【図８】
2014174835.tif 000010